(57)【要約】  グループ内の構成員の間、特に、学校内の学生らの心理状態を分析し、これによる学生間の交友関係を容易に把握することによって、学生の管理を効率よく支援できるグループ内の構成員管理支援システム及びその方法が開示される。本発明は、グループ内の構成員一人一人の心理または気持ちを表す自己表現指標を保存するデータベースと、前記構成員からネットワークを介して前記自己表現指標を受け取り前記データベースに保存させるインターフェースサーバーと、前記自己表現指標が入力されて前記ネットワークを介して前記インターフェースサーバーに送信する構成員端末機と、前記ネットワークを介して前記インターフェースサーバーに前記自己表現指標を要請及び受信して前記自己表現指標を表示するか出力する管理者端末機と、を含むグループ内の構成員管理支援システム及びその方法を提供する。
2016507106.tif 000002
【特許請求の範囲】
【請求項１】
グループ内の構成員一人一人の心理または気持ちを表す自己表現指標を保存するデータベースと、
前記構成員からネットワークを介して前記自己表現指標を受け取り前記データベースに保存させるインターフェースサーバーと、
前記自己表現指標が入力されて前記ネットワークを介して前記インターフェースサーバーに送信する構成員端末機と、
前記ネットワークを介して前記インターフェースサーバーに前記自己表現指標を要請及び受信して前記自己表現指標を表示するかまたは出力する管理者端末機と、
を含むグループ内の構成員管理支援システムであって、
前記自己表現指標は、前記構成員の心理または気持ちの程度に対応して前記構成員端末機に予め設定された２つ以上のアイコン形状のうちいずれかのアイコン形状が入力される状態に応じて変化するアバターのアバター表情及び前記構成員端末機に予め設定された点数のうち入力された点数を含む指標として表示され、
前記インターフェースサーバーは、自己表現指標統計生成モジュールを備え、前記生成された自己表現指標統計を前記データベースに保存し、
前記管理者端末機は、前記ネットワークを介して前記インターフェースサーバーへ一定期間の前記自己表現指標統計を要請及び受信して前記自己表現指標統計を表示するかまたは出力し、
前記自己表現指標統計は、前記一定期間の前記アバター表情の変動履歴及び前記点数の変動履歴を含み、
前記管理者端末機は、前記管理者端末機に予め設定された前記一定期間の特定アバター表情の回数の範囲または前記管理者端末機に予め設定された点数の範囲に含まれる前記自己表現指標統計を受信する場合に、該当の構成員が誰なのかアラームを表示するかまたは出力することを特徴とするグループ内の構成員管理支援システム。
【請求項２】
前記インターフェースサーバーは、ウェブブラウザまたはモバイル装置にインストールされたアプリケーションを介して前記構成員から前記自己表現指標が送信されることを特徴とする請求項１に記載のグループ内の構成員管理支援システム。
【請求項３】
前記予め設定された２つ以上のアイコン形状は、前記アバター表情が前記構成員端末機にディスプレーされる領域周辺に、前記アイコン形状の入力による前記アバター表情の変化の時までディスプレーされ、
前記アバター表情以外の前記アバターの一部領域には、前記構成員の心理または気落ちの程度を表す色相部がディスプレーされ、前記色相部の周辺にて２つ以上の色相を羅列した色相環の入力による前記色相部の変化の時まで、前記色相環がディスプレーされることを特徴とする請求項１に記載のグループ内の構成員管理支援システム。
【請求項４】
前記管理者端末機は、前記管理者端末機に予め設定された一定期間における特定の前記色相の表示回数範囲に含まれる前記自己表現指標統計を受信する場合、該当の構成員が誰なのかアラームを表示するかまたは出力することを特徴とする請求項３に記載のグループ内の構成員管理支援システム。
【請求項５】
前記自己表現指標統計は、前記一定期間における前記点数の平均をさらに含み、
前記管理者端末機は、前記管理者端末機に予め設定された前記一定期間における前記平均の点数範囲に含まれる前記自己表現指標統計を受信する場合、該当の構成員が誰なのかアラームを表示するかまたは出力することを特徴とする請求項１に記載のグループ内の構成員管理支援システム。
【請求項６】
前記インターフェースサーバーは、仮想の補償アイテムを生成及び処理するアイテム管理モジュールを具備し、前記生成及び処理されたアイテムの情報を前記データベースに保存し、
前記管理者端末機は、前記ネットワークを介して前記インターフェースサーバーに前記アイテムを要請及び受信し、前記ネットワークを介していずれかの前記構成員端末機に前記アイテムを送信し、
前記アイテムが送信された前記構成員端末機は、他の構成員端末機に前記アイテムを送信し、
前記インターフェースサーバーは、前記アイテム管理モジュールによって前記処理されたアイテムに対する統計を算出し、前記算出されたアイテム処理統計を前記データベースに保存し、
前記管理者端末機は、前記ネットワークを介して前記インターフェースサーバーに前記アイテム処理統計を要請及び受信して前記アイテム処理統計を表示するかまたは出力し、
前記アイテム処理統計は、前記構成員それぞれに対する前記一定期間の前記アイテムの送信及び受信回数の変動履歴を含み、
前記管理者端末機は、前記一定期間の前記構成員間の前記アイテム交換フロー図を表示するかまたは出力することを特徴とする請求項１に記載のグループ内の構成員管理支援システム。
【請求項７】
前記管理者端末機は、前記管理者端末機に予め設定された前記一定期間のアイテムの受信回数の範囲または持っているアイテム数の範囲が含まれる前記アイテムの処理統計を受信する場合、該当の構成員が誰なのかアラームを表示するかまたは出力することを特徴とする請求項６に記載のグループ内の構成員管理支援システム。
【請求項８】
前記管理者端末機は、前記管理者端末機上に表示された各構成員に対する自己表現指標をイメージするアイコンの選択に応じて選択された構成員間の前記アイテム交換フロー図を表示または出力するか、前記管理者端末機に予め設定された前記一定期間のアイテムの送信及び受信回数を表示または出力することを特徴とする請求項６に記載のグループ内の構成員管理支援システム。
【請求項９】
前記管理者端末機は、前記管理者端末機上に表示された各構成員に対する自己表現指標をイメージするアイコンの選択に応じて選択された構成員を中心に、前記管理者端末機に予め設定された前記一定期間の前記アイテムの送信及び受信回数が多い順に、他の構成員を表示または出力することを特徴とする請求項６に記載のグループ内の構成員管理支援システム。
【請求項１０】
前記インターフェースサーバーは、前記構成員端末機を介して前記構成員間に送受信されるメール管理モジュールを具備して、前記送受信されるメールを前記データベースに保存及び送受信されたメールに対する統計を算出し、前記算出されたメール統計を前記データベースに保存させ、
前記管理者端末機は前記ネットワークを介して前記インターフェースサーバーに前記メール統計を要請及び受信して前記メール統計を表示するかまたは出力し、
前記メール統計は、前記構成員間の前記一定期間の前記メールの送受信の回数を含み、
前記管理者端末機は、前記一定期間の前記構成員間のメールの送受信の回数を表示するかまたは出力することを特徴とする請求項１に記載のグループ内の構成員管理支援システム。
【請求項１１】
前記メールは、音声メールを含み、
前記構成員端末機は、前記音声メールを送信する時、特定の音声モードを選択することができる音声変調部を具備することを特徴とする請求項１０に記載のグループ内の構成員管理支援システム。
【請求項１２】
グループ内の構成員それぞれの心理または気持ちを表す自己表現指標を保存するデータベースと、
前記構成員からネットワークを介して前記自己表現指標が送信されて前記データベースに保存させるインターフェースサーバーと、
前記自己表現指標が入力されて前記ネットワークを介して前記インターフェースサーバーに送信する構成員端末機と、
前記ネットワークを介して前記インターフェースサーバーに前記自己表現指標を要請及び受信して前記自己表現指標を表示するかまたは出力する管理者端末機と、
を含むグループ内の構成員管理支援システムであって、
前記自己表現指標は、前記構成員の心理または気持ちの程度に対応して前記構成員端末機に予め設定された２つ以上のアイコン形状のうちいずれかのアイコンの形状が入力される状態に応じて変化するアバターのアバター表情、前記構成員端末機に予め設定された２つ以上の色相のうちいずれかの色相が入力される状態によって変化する色相、及び前記構成員端末機に予め設定された点数のうち入力された点数、を含む指標のうち１種以上を含む第１指標と、前記構成員の心理または気持ちの程度に対応して前記構成員端末機に入力される言語要素からなる第２指標と、を含み、
前記インターフェースサーバーは、自己表現指標統計生成モジュールを備え、前記生成された自己表現指標統計を前記データベースに保存し、
前記管理者端末機は、前記ネットワークを介して前記インターフェースサーバーへ一定期間の前記自己表現指標統計を要請及び受信して前記自己表現指標統計を表示するかまたは出力し、
前記自己表現指標統計は、前記一定期間の前記第１指標及び前記第２指標の変動履歴を含み、
前記管理者端末機は、前記管理者端末機に予め設定された前記一定期間に入力された前記第２指標に対して、前記第２指標の入力に対応して入力された前記第１指標統計を表示するかまたは出力することを特徴とするグループ内の構成員管理支援システム。
【請求項１３】
前記第２指標は、前記構成員端末機上に一定期間ディスプレーされる言語要素群から選択されて入力されることを特徴とする請求項１２に記載のグループ内の構成員管理支援システム。
【請求項１４】
前記第１指標統計は、前記アバター表情の表情別または前記色相の色相別の回数であるか、前記点数の累積値または平均であることを特徴とする請求項１２に記載のグループ内の構成員管理支援システム。
【請求項１５】
前記ネットワークを介して前記管理者端末機から前記自己表現指標統計または前記アイテム処理統計が送信される観察者端末機をさらに含むことを特徴とする請求項１、請求項６、及び請求項１２のうちいずれか一項に記載のグループ内の構成員管理支援システム。
【請求項１６】
（ａ）構成員端末機が前記構成員の心理または気持ちの程度に対応して前記構成員端末機に予め設定された２つ以上のアイコン形状のうちいずれかのアイコン形状が入力される状態に応じて変化するアバターのアバター表情及び前記構成員端末機に予め設定された点数のうち入力された点数を含む自己表現指標を入力してインターフェースサーバーに送信するステップと、
（ｂ）前記インターフェースサーバーが前記自己表現指標をデータベースに保存し、一定期間における前記アバター表情と前記点数の変動履歴を含む自己表現指標に対する統計を生成して前記データベースに保存し、仮想の補償アイテムを生成して前記データベースに保存するステップと、
（ｃ）管理者端末機が前記インターフェースサーバーに一定期間の前記自己表現指標、前記自己表現指標統計及び前記アイテムを要請及び受信するステップと、
（ｄ）前記管理者端末機が前記アイテムをいずれかの前記構成員端末機に送信するステップと、
（ｅ）前記構成員端末機が前記送信された前記アイテムを他の構成員端末機に送信するステップと、
を含み、
前記管理者端末機は、前記管理者端末機に予め設定された前記一定期間において特定のアバター表情が入力された回数の範囲または前記管理者端末機に予め設定された点数の範囲が含まれる前記自己表現指標統計を受信する場合に、該当の構成員が誰なのかアラームを表示するかまたは出力することを特徴とするグループ内の構成員の管理支援方法。
【請求項１７】
前記（ｂ）ステップで、前記インターフェースサーバーは、前記アイテムの処理に対する統計を生成して前記データベースに保存するステップをさらに行い、
前記（ｃ）ステップで、前記管理者端末機は、前記インターフェースサーバーに前記アイテムの処理統計を要請及び受信するステップをさらに行い、
前記アイテムの処理統計は、前記構成員それぞれに対する前記一定期間の前記アイテムの送信及び受信回数の変動履歴を含み、
前記管理者端末機は、前記一定期間の前記構成員間の前記アイテム交換フロー図を表示するかまたは出力するようにし、前記管理者端末機に予め設定された前記一定期間におけるアイテムの受信回数の範囲または持っているアイテムの数の範囲が含まれる前記アイテム処理統計を受信する場合、該当の構成員が誰なのかアラームを表示するか出力することを特徴とする請求項１６に記載のグループ内の構成員の管理支援方法。
【請求項１８】
（ｆ）前記管理者端末機が、前記自己表現指標統計または前記アイテム処理統計を観察者の端末機に送信するステップをさらに含むことを特徴とする請求項１７に記載のグループ内の構成員の管理支援方法。
【請求項１９】
請求項１６ないし請求項１８のうちいずれか一項による方法を実行するためのコンピュータプログラムを記録した記録媒体であって、コンピュータが読み取り可能である記録媒体。
【発明の詳細な説明】
【技術分野】
【０００１】
本発明は、グループ内の構成員管理支援システム及びその方法に関し、より詳しくは、学校内の学生らの心理状態を分析し、それに応じた学生らの交友関係を把握するなどの、グループ内の構成員の管理を効率よく支援するシステム及びその方法に関する。
【背景技術】
【０００２】
幼稚園児から高校生に至るまで、子供や青少年が団体として集まる学校（幼稚園）は、教育の場であり、学生や保護者に対する十分な配慮と管理が要求される。
【０００３】
最近、学校はもちろん全社会的に複雑化、高度化されることに応じて、特に学校内の学生相互の競争が激しくなっている。このような競争環境において、学生相互の仲間という意識が段々薄くなることによる個人主義な性格と周辺環境の変化によって、過去には聞かなかった学生同士の暴力事件、イジメ、および安全事故などの、学校内の事故も急増している状況である。学生一人一人は、周辺の仲間と絆を築くために努力するうちに、人的ストレスを受けながらお互いの心を傷つけることになってしまい、場合によっては関係を持つことに対して恐怖を持って、人との交流を絶ってしまう状況に至ることもある。このような環境の中で、個人主義の性格は、特定の学生や特性の集団の利己によって一人の構成員や一部の構成員らを排斥して無視し、疎外された構成員は、そこからの喪失感によってうつ病になるか、イジメの対象となるような不安な立場に置かれてしまう。
【０００４】
学生は、毎日のように登校して、教職員、特に担任の先生と接しているが、学生らは先生と相談をする機会があっても、直接対面して悩みを話すことは現実的に難しいといった、コミュニケーションが十分に取れない環境で生活している。同様に、このような学生らの相談を基にした、先生と保護者との緊密な協力関係がきちんと成り立つことは、難しいことである。
【０００５】
一方、多様な社会的客体に対する心理状態、対人関係、およびやりがいなどを、コンピュータ化されたシステムを利用して、効果的に管理するための幾つの方案が紹介されている。
【０００６】
特許文献１には、子供や青少年の会員が端末機を介してウェブサーバーにアクセスして、自ら悩みや気がかりなどを、自分が信頼するまたは望む仮想あるいは実在する対象にメッセージを送り、このメッセージを該当の専門相談者が検討して、各メッセージを作成した各会員へ適切な返答のメッセージを送信することによって、会員を慰め、励まし、勇気を得て心理的に安定を取ることができるようにする対話型システムに関して、開示されている。
【０００７】
また、特許文献２には、ユーザの選択に応じて決められたピクセルの位置を制御部に送信し、ユーザの選択に応じて決められた色彩の比率を制御部に送信し、ユーザが選択したピクセルに対して選択された色彩の比率に応じて色彩を指定するようにし、色を選択して絵または模様を作る過程から、集中力とやりがいを高めることができるようにし、ユーザがより安く心理治療のサービスを受けられるようにする、ネットワーク心理治療のサービスの提供方法について、開示されている。
【０００８】
また、特許文献３には、初期‐設計‐教育‐メンターとメンティーの連結‐メンタリングと活動‐評価‐事後管理ステップを経て、学生と学生、先生と学生に正しい人間関係が形成されるのに役立つ、コンピュータ基盤のメンタリングシステムについて、開示されている。
【０００９】
また、特許文献４には、メンティーと相談専門家との間に自動応答システムを利用して、メンティーと相談者が直接対面または直接音声で電話することなく、ＡＲＳシステムを利用して間接的に意思を交換することで、メンティーの匿名性が保証される、校内暴力を防止するための無人相談システムについて、開示されている。
【００１０】
また、特許文献５には、移動通信端末機を利用し、メッセージまたはお客管理コンテンツを選定及び送信するステップを含めて、うつ病などの不安定な心理状態を解消できる、うつ病防止のためのお客管理サービスの提供方法について、開示されている。
【００１１】
また、特許文献６には、学校内に設置された各種の学校管理用の施設を、学校ネットワークである有線イントラネットと無線通信を利用して統合することによって、線路管理方法を単純化してシステムの全運営体制をコンピュータのＧＵＩ環境に一元化する、統合された学校管理システムについて、開示されている。
【００１２】
しかし、先行技術では、グループ内の構成員間、特に、学校内の学生の心理状態を分析し、これにより学生間の交友関係を容易に把握することによって、担当の先生による学生管理を効率よく支援する方法については提示されていない。よって、このような問題を容易に解決するための方法として、最近のコンピュータ技術を積極的に活用する具体的な方法が、切実に要求される状況である。
【先行技術文献】
【特許文献】
【００１３】
【特許文献１】大韓民国公開特許公報第２０１２−００２６７２６号
【特許文献２】大韓民国登録特許公報第０５８２９８７号
【特許文献３】大韓民国公開特許公報第２０００−００５９０９９号
【特許文献４】大韓民国公開特許公報第２００２−００６０２９９号
【特許文献５】大韓民国公開特許公報第２００６−０１０４７３４号
【特許文献６】大韓民国公開特許公報第２００７−００７０８０３号
【発明の概要】
【発明が解決しようとする課題】
【００１４】
本発明は、グループ内の構成員間、特に、学校内の学生の心理状態を分析することや、これによる学生間の交友関係を容易に把握することによって、学生の管理を効率よく支援することができる、グループ内の構成員管理支援システム及びその方法を実行するためのコンピュータプログラムを記録したコンピュータを読み取り可能な記録媒体を、提供することにある。
【課題を解決するための手段】
【００１５】
前記課題を解決するための一態様として、本発明は、グループ内の構成員一人一人の心理または気持ちを表す自己表現指標を保存するデータベースと、前記構成員からネットワークを介して前記自己表現指標を受け取り前記データベースに保存させるインターフェースサーバーと、前記自己表現指標が入力されて前記ネットワークを介して前記インターフェースサーバーに送信する構成員端末機と、前記ネットワークを介して前記インターフェースサーバーに前記自己表現指標を要請及び受信して前記自己表現指標を表示するかまたは出力する管理者端末機と、を含むグループ内の構成員管理支援システムであって、前記自己表現指標は、前記構成員の心理または気持ちの程度に対応して前記構成員端末機に予め設定された２つ以上のアイコン形状のうちいずれかのアイコン形状が入力される状態に応じて変化するアバターのアバター表情及び前記構成員端末機に予め設定された点数のうち入力された点数を含む指標として表示され、前記インターフェースサーバーは、自己表現指標統計生成モジュールを備え、前記生成された自己表現指標統計を前記データベースに保存し、前記管理者端末機は、前記ネットワークを介して前記インターフェースサーバーへ一定期間の前記自己表現指標統計を要請及び受信して前記自己表現指標統計を表示するかまたは出力し、前記自己表現指標統計は、前記一定期間の前記アバター表情の変動履歴及び前記点数の変動履歴を含み、前記管理者端末機は、前記管理者端末機に予め設定された前記一定期間の特定アバター表情の回数の範囲または前記管理者端末機に予め設定された点数の範囲に含まれる前記自己表現指標統計を受信する場合に、該当の構成員が誰なのかアラームを表示するかまたは出力することを特徴とするグループ内の構成員管理支援システムを提供する。
【００１６】
また、前記インターフェースサーバーは、ウェブブラウザまたはモバイルにインストールされたアプリケーションを介して前記構成員から前記自己表現指標が送信されることを特徴とするグループ内の構成員管理支援システムを提供する。
【００１７】
また、前記予め設定された２つ以上のアイコン形状は、前記アバター表情が前記構成員端末機にディスプレーされる領域周辺に、前記アイコン形状の入力に応じる前記アバター表情の変化までディスプレーされ、前記アバター表情以外の前記アバターの一部領域には、前記構成員の心理または気落ちの程度を表す色相部がディスプレーされ、前記色相部の周辺にて２つ以上の色相を羅列した色相環の入力による前記色相部の変化まで前記色相環がディスプレーされることを特徴とするグループ内の構成員管理支援システムを提供する。
【００１８】
また、前記管理者端末機は、前記管理者端末機に予め設定された前記一定期間における特定の前記色相の表示回数範囲に含まれる前記自己表現指標統計を受信する場合、該当の構成員が誰なのかアラームを表示するかまたは出力することを特徴とするグループ内の構成員管理支援システムを提供する。
【００１９】
また、前記自己表現指標統計は、前記一定期間における前記点数の平均をさらに含み、前記管理者端末機は、前記管理者端末機に予め設定された前記一定期間における前記平均の点数範囲に含まれる前記自己表現指標統計を受信する場合、該当の構成員が誰なのかアラームを表示するかまたは出力することを特徴とするグループ内の構成員管理支援システムを提供する。
【００２０】
また、前記インターフェースサーバーは、仮想の補償アイテムを生成及び処理するアイテム管理モジュールを具備し、前記生成及び処理されたアイテムの情報を前記データベースに保存し、前記管理者端末機は、前記ネットワークを介して前記インターフェースサーバーに前記アイテムを要請及び受信し、前記ネットワークを介していずれかの前記構成員端末機に前記アイテムを送信し、前記アイテムが送信された前記構成員端末機は、他の構成員端末機に前記アイテムを送信し、前記インターフェースサーバーは、前記アイテム管理モジュールによって前記処理されたアイテムに対する統計を算出し、前記算出されたアイテム処理統計を前記データベースに保存し、前記管理者端末機は、前記ネットワークを介して前記インターフェースサーバーに前記アイテム処理統計を要請及び受信して前記アイテム処理統計を表示するかまたは出力し、前記アイテム処理統計は、前記構成員それぞれに対する前記一定期間の前記アイテムの送信及び受信回数の変動履歴を含み、前記管理者端末機は、前記一定期間の前記構成員間の前記アイテム交換フロー図を表示するかまたは出力することを特徴とするグループ内の構成員管理支援システムを提供する。
【００２１】
また、前記管理者端末機は、前記管理者端末機に予め設定された前記一定期間のアイテム受信回数の範囲または持っているアイテム数の範囲が含まれる前記アイテム処理統計を受信する場合、該当の構成員が誰なのかアラームを表示するかまたは出力することを特徴とするグループ内の構成員管理支援システムを提供する。
【００２２】
また、前記管理者端末機は、前記管理者端末機上に表示された各構成員に対する自己表現指標をイメージするアイコンの選択に応じて選択された構成員間の前記アイテム交換フロー図を表示または出力するか、前記管理者端末機に予め設定された前記一定期間のアイテムの送受信及び受信回数を表示または出力することを特徴とするグループ内の構成員管理支援システムを提供する。
【００２３】
また、前記管理者端末機は、前記管理者端末機上に表示された各構成員に対する自己表現指標をイメージするアイコン選択に応じて選択された構成員を中心に、前記管理者端末機に予め設定された前記一定期間の前記アイテムの送信及び受信回数が多い順に、他の構成員を表示または出力することを特徴とするグループ内の構成員管理支援システムを提供する。
【００２４】
また、前記インターフェースサーバーは、前記構成員端末機を介して前記構成員間に送受信されるメール管理モジュールを具備して、前記送受信されるメールを前記データベースに保存及び送受信されたメールに対する統計を算出し、前記算出されたメール統計を前記データベースに保存させ、前記管理者端末機は前記ネットワークを介して前記インターフェースサーバーに前記メール統計を要請及び受信して前記メール統計を表示するかまたは出力し、前記メール統計は、前記構成員間の前記一定期間の前記メールの送受信の回数を含み、前記管理者端末機は、前記一定期間の前記構成員間のメールの送受信の回数を表示するかまたは出力することを特徴とするグループ内の構成員管理支援システムを提供する。
【００２５】
また、前記メールは、音声メールを含み、前記構成員端末機は、前記音声メール送信する時、特定の音声モードを選択することができる音声変調部を具備することを特徴とするグループ内の構成員管理支援システムを提供する。
【００２６】
前記課題を解決するための他の態様として本発明は、グループ内の構成員それぞれの心理または気持ちを表す自己表現指標を保存するデータベースと、前記構成員からネットワークを介して前記自己表現指標が送信されて前記データベースに保存させるインターフェースサーバーと、前記自己表現指標が入力されて前記ネットワークを介して前記インターフェースサーバーに送信する構成員端末機と、前記ネットワークを介して前記インターフェースサーバーに前記自己表現指標を要請及び受信して前記自己表現指標を表示するかまたは出力する管理者端末機と、を含むグループ内の構成員管理支援システムであって、前記自己表現指標は、前記構成員の心理または気持ちの程度に対応して前記構成員端末機に予め設定された２つ以上のアイコン形状のうちいずれかのアイコン形状が入力される状態に応じて変化するアバターのアバター表情、前記構成員端末機に予め設定された２つ以上の色相のうちいずれかの色相が入力される状態によって変化する色相、及び前記構成員端末機に予め設定された点数のうち入力された点数、を含む指標のうち１種以上を含む第１指標と、前記構成員の心理または気持ちの程度に対応して前記構成員端末機に入力される言語要素からなる第２指標と、を含み、前記インターフェースサーバーは、自己表現指標統計生成モジュールを備え、前記生成された自己表現指標統計を前記データベースに保存し、前記管理者端末機は、前記ネットワークを介して前記インターフェースサーバーへ一定期間の前記自己表現指標統計を要請及び受信して前記自己表現指標統計を表示するかまたは出力し、前記自己表現指標統計は、前記一定期間の前記第１指標及び前記第２指標の変動履歴を含み、前記管理者端末機は、前記管理者端末機に予め設定された前記一定期間に入力された前記第２指標に対して、前記第２指標の入力に対応して入力された前記第１指標統計を表示するかまたは出力することを特徴とするグループ内の構成員管理支援システムを提供する。
【００２７】
また、前記第２指標は、前記構成員端末機上に一定期間ディスプレーされる言語要素群から選択されて入力されることを特徴とするグループ内の構成員管理支援システムを提供する。
【００２８】
また、前記第１指標統計は、前記アバター表情の表情別または前記色相の色相別の回数であるか、前記点数の累積値または平均であることを特徴とするグループ内の構成員管理支援システムを提供する。
【００２９】
また、前記ネットワークを介して前記管理者端末機から前記自己表現指標統計または前記アイテム処理統計が送信される観察者端末機をさらに含むことを特徴とするグループ内の構成員管理支援システムを提供する。
【００３０】
前記他の課題を解決するために本発明は、（ａ）構成員端末機が前記構成員の心理または気持ちの程度に対応して前記構成員端末機に予め設定された２つ以上のアイコン形状のうちいずれかのアイコン形状が入力される状態に応じて変化するアバターのアバター表情及び前記構成員端末機に予め設定された点数のうち入力された点数を含む自己表現指標を入力してインターフェースサーバーに送信するステップと、（ｂ）前記インターフェースサーバーが前記自己表現指標をデータベースに保存し、一定期間における前記アバター表情と前記点数の変動履歴を含む前記自己表現指標に対する統計を生成して前記データベースに保存し、仮想の補償アイテムを生成して前記データベースに保存するステップと、（ｃ）管理者端末機が前記インターフェースサーバーに一定期間の前記自己表現指標、前記自己表現指標統計及び前記アイテムを要請及び受信するステップと、（ｄ）前記管理者端末機が前記アイテムをいずれかの前記構成員端末機に送信するステップと、（ｅ）前記構成員端末機が前記送信された前記アイテムを他の構成員端末機に送信するステップと、を含み、前記管理者端末機は、前記管理者端末機に予め設定された前記一定期間において特定のアバター表情が入力された回数の範囲または前記管理者端末機に予め設定された点数の範囲が含まれる前記自己表現指標統計を受信する場合に、該当の構成員が誰なのかアラームを表示するかまたは出力することを特徴とするグループ内の構成員の管理支援方法を提供する。
【００３１】
また、前記（ｂ）ステップで、前記インターフェースサーバーは、前記アイテムの処理に対する統計を生成して前記データベースに保存するステップをさらに行い、前記（ｃ）ステップで、前記管理者端末機は、前記インターフェースサーバーに前記アイテムの処理統計を要請及び受信するステップをさらに行い、前記アイテムの処理統計は、前記構成員それぞれに対する前記一定期間の前記アイテムの送信及び受信回数の変動履歴を含み、前記管理者端末機は、前記一定期間の前記構成員間の前記アイテム交換フロー図を表示するかまたは出力するようにし、前記管理者端末機に予め設定された前記一定期間におけるアイテムの受信回数の範囲または持っているアイテムの数の範囲が含まれる前記アイテム処理統計を受信する場合、該当の構成員が誰なのかアラームを表示するか出力することを特徴とするグループ内の構成員の管理支援方法を提供する。
【００３２】
また、（ｆ）前記管理者端末機が前記自己表現指標統計または前記アイテム処理統計を観察者の端末機に送信するステップをさらに含むことを特徴とするグループ内の構成員の管理支援方法を提供する。
【００３３】
前記また他の課題を解決するための本発明は、前記方法を実行するためのコンピュータプログラムを記録した記録媒体であって、コンピュータが読み取り可能である記録媒体を提供する。
【発明の効果】
【００３４】
本発明によると、既存に構築されたネットワークを利用してグループ内の構成員それぞれの心理または気持ちを表す自己表現指標を処理するデータベース、インターフェースサーバー、および端末機などを利用し、コンピュータ化された方法で構成員管理を容易に効率よく支援できるシステム及びその方法を提供する効果がある。
【００３５】
また、自己表現指標統計及び構成員間の補償アイテム送信結果を、管理者端末機から確認して、観察者端末機にその結果を送信するようにすることによって、構成員間の交友関係を容易に把握することにより、管理者および観察者の間に構成員の心理状態及び交友関係を効果的に共有するようにして、学校生活において危険群に属する構成員に対する相談及び心理治癒が円滑に進行される効果がある。
【００３６】
また、グループ内の構成員それぞれの心理または気持ちを表す自己表現指標として、心理または気持ちを客観的に把握できる指標とともに、主観的に表現された言語要素を対応される指標としてマッチングさせてこれを統計処理することによって、心理または気持ちに相応して定量化しにくい言語要素をそれぞれの構成員に対して相対的に自己表現指標として活用し、個別構成員が使用する言語を使って容易に心理または気持ちを把握するか、相談資料として活用できるようにする効果がある。
【図面の簡単な説明】
【００３７】
【図１】本発明の一実施例によるグループ内の構成員管理支援システムに関する構成図である。
【図２】本発明の一実施例による構成員端末機にディスプレーされる自己表現指標の入力画面を示す図である。
【図３】本発明の一実施例による構成員端末機にディスプレーされる自己表現指標の入力画面を示す図である。
【図４】本発明の一実施例による構成員端末機にディスプレーされる自己表現指標の入力画面を示す図である。
【図５】本発明の一実施例による管理者端末機にディスプレーされる自己表現指標のチェック版を示す図である。
【図６】本発明による管理者端末機にディスプレーされる画面を例示した図である。
【図７】本発明による管理者端末機に指標統計がディスプレーされる画面を示す図である。
【図８Ａ】本発明による管理者端末機に指標統計がディスプレーされる画面を示す図である。
【図８Ｂ】本発明による管理者端末機に色相指標を用いた心理状態情報がディスプレーされる画面を例示した図である。
【図９】本発明の一実施例による管理者端末機のアラーム機能の設定画面を示す図である。
【図１０】本発明によってアラーム機能が具現される模様を示す図である。
【図１１】本発明による構成員端末機にディスプレーされる画面を例示した図である。
【図１２】本発明による管理者端末機にディスプレーされる画面を例示した図である。
【図１３】本発明による管理者端末機にディスプレーされる画面を例示した図である。
【図１４】本発明による構成員端末機にて音声変調設定モードを例示した図である。
【図１５】本発明の他の実施例による構成員端末機にディスプレーされる自己表現指標の入力画面を模式的に示す図である。
【図１６】本発明による他の実施例による管理者端末機に指標統計がディスプレーされる画面を例示した図である。
【図１７】本発明による他の実施例による管理者端末機に指標統計がディスプレーされる画面を例示した図である。
【図１８】本発明の一実施例によるグループ内の構成員の管理支援方法をステップ順によって示した図である。
【図１９】図１８による方法を行う際、各ユーザの端末機の画面に示す表示内容を中心に見た本発明の全フローを説明する図である。
【発明を実施するための形態】
【００３８】
以下に、本発明の好ましい実施例を添付の図面を参考にして詳しく説明する。本発明を説明することにおいてかかわる公知の技術に対する具体的な説明が、本発明の要旨を不明にする恐れがあると判断される場合に、その詳しい説明を略する。図面において、本発明を明確に説明するために説明と関係ない部分は略し、明細書全体を通じて類似の部分については、類似した図面符号を付けている。また、明細書全体において、いずれかの部分がどの構成要素を「含む」と記載する際、これは特に対する記載がない限り、他の構成要素を除くことではなくて他の構成要素をさらに含めることができることを意味する。
【００３９】
［グループ内の構成員管理支援システム]
図１は、本発明の一実施例によるグループ内の構成員管理支援システムに関する構成図を示す図である。
【００４０】
図１に示すように、本発明によるグループ内の構成員管理支援システム１００は、基本的にインターフェースサーバー１１０、データベース１２０、構成員端末機１３０及び管理者端末機１４０を含む。以下、各構成に対してより詳しく説明する。
【００４１】
インターフェースサーバー１１０は、ネットワーク１５０に接続され、構成員、管理者などのユーザーが遠距離でネットワーク１５０を介してアクセスできるように構成される。これによって、構成員は、ネットワーク１５０を介して、図２ないし図４に示したように、インターフェースサーバー１１０が提供するウェブサイトなどがディスプレーされる端末機１３０を利用して自己表現指標を入力することができる。また、インターフェースサーバー１１０は、構成員端末機１３０から入力された自己表現指標をデータベース１２０に保存する。データベース１２０においては、自己表現指標は自己表現指標ＤＢ１２１の項目に保存することができる。このようなインターフェースサーバー１１０における自己表現指標のデータ処理は、自己表現指標の処理モジュール１１１において行うことができる。
【００４２】
本発明における自己表現指標は、グループ内の構成員それぞれの心理または気持ちを表す指標として、多様な方法で表示されるようにすることができる。本発明では特に、幼い学生らの先生に対する円滑なコミュニケーションを誘導するとともに、電子機器としての随時のアクセシビリティ及び興味誘導のために、図２に示すように、構成員端末機１３０の画面上において心理または気持ちに対応して予め設定された多様な種類の表情を持つアイコン形状１３１を選択（タッチ、図２Ａ）することによって、アバター１３２の表情が変えられるように表示（図２Ｂ）してもよい。また、図３に示すように、構成員端末機１３０の画面上において予め設定された多様な色相を示した色相環１３３から、現在の心理または気持ちを色相で表現できる色相を選択（タッチ、図３Ａ）して、アバター表情以外の一部領域（図３においては、アバターの体部）にディスプレーされた色相部１３２ａに、選択された色相が表わされるように表示（図３Ｂ）してもよい。また、図４に示すように、構成員端末機１３０の画面上において予め設定された点数版ないし点数ゲージ１３４から、現在の心理または気持ちを表現できる点数を選択（タッチ）して表示してもよい。
【００４３】
この際、好ましい例として、予め設定された多様な種類の表情を持つアイコン形状１３１は、構成員端末機１３０にディスプレーされるアバター１３２の表情領域の周辺にディスプレーされて、構成員の特定アイコン形状１３１の選択（タッチ）に応じて、アバター１３２の表情が変化されるように具現されてもよい。また、類似の方式として、色相部１３２ａの周辺から多様な色相が羅列された色相環１３３がディスプレーされると構成員の特定色相選択（タッチ）に応じて色相部１３２ａの色相が変化されるように具現されてもよい。
【００４４】
具体的に、構成員端末機１３０を介した自己表現指標の入力は、構成員端末機１３０の初期画面に表わすアバター１３２、アバター選択部１３１、色相環１３３及び点数版ないし点数ゲージ１３４を用いて行うことができ、初期画面からアバター１３２の表情（顔）の周辺にアバター選択部１３１がディスプレーされると、アバター選択部１３１のうち一つのアイコンを選択して、アバター１３２が対応される表情を持って表示されるようにすると同時にアバター選択部１３１は画面から消えるようにして（図２参照）、アバター色相部１３２ａの周辺に色相環１３３がディスプレーされると、色相環１３３のうち一つの色相を選択してアバターの色相部１３２ａが対応される色相に変化されるようにすると同時に、色相環１３３は画面から消えるように具現されてもよい（図３参照）。また、点数版１３４の周りに点数入力要請信号が表わされると、特定点数を選択することができ、選択された点数の履歴は、構成員端末機１３０で特に示すことなく管理者端末機１４０にだけ表せるように、例えば、管理者端末機１４０の画面でアバターの特定部分（例えば、色相部）が点数に比例したサイズで表すようにすることができる。
【００４５】
本発明におけるネットワーク１５０は、一般的にインターネット網を意味するが、その他のネットワーク網、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＳＴＮ（Ｐｕｂｌｉｃ  Ｓｗｉｔｃｈｅｄ  Ｔｅｌｅｐｈｏｎｅ  Ｎｅｔｗｏｒｋ）、ＰＳＤＮ（Ｐｕｂｌｉｃ  Ｓｗｉｔｃｈｅｄ  Ｄａｔａ  Ｎｅｔｗｏｒｋ）、ケーブルＴＶ網、無線通信網なども、もちろん可能である。構成員は、コンピュータまたはモバイル装置（スマートフォンやタブレットＰＣなど）などの構成員端末機１３０を介して、前記インターフェースサーバー１１０にアクセスし、自己表現指標を入力および送信（端末機の画面上の保存ボタンなどを使用）することによって、データベース１２０に保存させることができる。
【００４６】
また、インターフェースサーバー１１０が、自己表現指標を送信するために構成員に提供するインターフェースは、一般的にコンピュータやモバイル装置に設置されたウェブブラウザを介したウェブサイトまたはアプリケーションであってもよく、これらに限らず、構成員から入力された自己表現指標を、ネットワークを介してインターフェースサーバーへ送信できるものであれば、その形態に制限されることはない。
【００４７】
構成員端末機１３０から自己表現指標が入力されて送信されたインターフェースサーバー１１０は、周期的にまたはリアルタイムにデータベース１２０を更新することができる。このような更新の過程によって、データベース１２０に自己表現指標を保存するか、外部の要請などに応じて修正することができる。
【００４８】
本発明における管理者端末機１４０は、ネットワーク１５０を介してインターフェースサーバー１１０に自己表現指標を要請及び受信して、管理者端末機１４０に自己表現指標を表示または出力することで、各構成員がインターフェースサーバー１１０を介して送信した自己表現指標を、自己表現指標ＤＢ１２１から受信して該当グループに属している全構成員の自己表現指標を閲覧することができる。例えば、管理者端末機１４０がインターフェースサーバー１１０に自己表現指標を要請する場合、図５または図６Ａに示すように、管理者端末機１４０の画面上に構成員の名前などで分けられて予め表示された自己表現指標の掲示板１４１から、自己表現指標を送信した構成員に対する自己表現指標の内容を確認することができる仕組みである。管理者端末機１４０は、構成員端末機１３０と同様に、コンピュータまたはモバイル装置（スマートフォンまたはタブレットＰＣなど）などを介してインターフェースサーバー１１０にアクセスして、自己表現指標を受信（自動アップデートまたは端末機画面上の要請ボタンなどを使用）することによって、閲覧することができる。
【００４９】
自己表現指標を受信した管理者端末機１４０の画面から管理者、例えば、学校の特定の組に属した学生らを管理する担任の先生は、学生個人の心理または気持ちをアバター１３２の表情から一目で確認することができる。また、アバターの色相部１３２ａの色相から、学生の心理または気持ちを間接的に確認してもよく、点数で入力された現在の心理または気持ちがその点数に比例して示す特定部分（例えば、色相部）のサイズや点数ゲージから確認してもよい。
【００５０】
一方、図６Ａを参照すると、管理者端末機１４０の画面においては、フィルター部１４５がディスプレーされて、特定の自己表現指標を選択して該当される構成員のみが表わされるように、具現されてもよい。例えば、アバター表情１４５ａのうち、主にゆがめるか悲しむ表情のアイコンを選択してフィルターリングボタン１４５ｂをタッチすると、該当されるアバター表情を送信した構成員のみがディスプレーされる（図６Ｂ）。点数の最大ボタン１４５ｃ及び最小ボタン１４５ｄを使用して点数範囲を選択して、フィルターリングボタン１４５ｂをタッチすると、該当する範囲の点数を送信した構成員のみがディスプレーされる（図６Ｃ）。特定色相１４５ｅを選択してフィルターリングボタン１４５ｂをタッチすると、該当する色相を送信した構成員のみがディスプレーされる（図６Ｄ）。点数の最大ボタン１４５Ｃ及び最小ボタン１４５ｄを使用して点数範囲を選択し、特定の表情のアイコン１４５ａを選択してフィルターリングボタン１４５ｂをタッチすると、該当する範囲の点数と該当するアバター表情を送信した構成員のみが、ディスプレーされるようにしてもよい（図６Ｅ）。
【００５１】
本発明におけるデータベース１２０は、インターフェースサーバー１１０と接続されて、構成員端末機１３０からインターフェースサーバー１１０を介して入力された自己表現指標を、自己表現指標ＤＢ１２１に保存する。これによって、管理者端末機１４０から自己表現指標が要請された場合、データベース１２０は要請による応答として管理者端末機１４０に自己表現指標を送信することになる。
【００５２】
グループ内の構成員の自己表現指標の入力および管理者の自己表現指標の確認のために、構成員のインターフェース環境へのアクセスのための登録及び認証のための手段が考慮される。このために、本発明におけるインターフェースサーバー１１０にユーザの登録及び認証モジュール１１２が具備され、構成員端末機１３０に各構成員の個人情報が入力されて、構成員端末機１３０はネットワーク１５０を介して入力された情報を送信する。インターフェースサーバー１１０のユーザ登録及び認証モジュール１１２は、構成員の個人情報をネットワーク１５０を介して受信して、データベース１２０のユーザ情報ＤＢ１２２に保存させることができる。この後、ユーザ登録及び認証モジュール１１２は、ユーザ情報ＤＢ１２２から管理者端末機１４０へ認証処理を要請し、管理者端末機１４０は、認証の有無をユーザ登録及び認証モジュール１１２に送信して、構成員のインターフェース環境へのアクセスを許可することができる。
【００５３】
本発明におけるインターフェースサーバー１１０は、自己表現指標処理モジュール１１１とともに、自己表現指標統計生成モジュール１１３を具備する。自己表現指標統計生成モジュール１１３は、各構成員端末機１３０から入力および送信された全ての自己表現指標に対して変動内容を統計化して生成し、これをデータベース１２０の自己表現指標統計ＤＢ１２３に保存することができる。
【００５４】
自己表現指標統計生成モジュール１１３は、例えば、図７に示すように、一定期間のアバターの表情の変動履歴Ａ、点数の変動履歴（図面における日付別棒グラフ参照）及び色相の変動履歴Ａを含めて表すことができるグラフなどの多様な指標統計を生成することができる。図７においては、１０日間の変動履歴を例示しており、アバター表情の場合登校及び下校の時に入力されたデータの指標から、一日の各構成員に対する心理または気持ちの変動事項を確認するようにしてもよい。または、自己表現指標統計生成モジュール１１３は、図８Ａに示すように、一定期間Ｂのアバター表情別の回数Ｃ、色相部１３２ａの特定色相の回数Ｄ、点数平均とともにこれらの変動履歴を表すことができるグラフＥを含む指標統計を生成してもよい。
【００５５】
管理者端末機１４０は、ネットワーク１５０を介してインターフェースサーバー１１０に一定期間の自己表現指標統計を要請及び受信して、管理者端末機１４０の画面上において、各構成員に対して表示されたアイコンＩ１を選択（タッチ）して、多様な自己表現指標統計を表示するかまたは出力するようにしてもよい。これによって、管理者は該当グループの構成員一人一人に対して、最近の心理または気持ちの状態とともに、変動の程度を一目に把握することができるようになる。
【００５６】
一方、前記特定色素の回数に関連する自己表現指標統計を利用して、構成員に対する心理状態の情報を提供する手段が考慮されることがある。図８Ｂにおいては、本発明による管理者端末機で色相の指標を用いた心理状態の情報がディスプレーされる画面を、例示している。
【００５７】
図８Ｂを参照すると、自己表現指標統計の生成モジュール１１３は、一定期間の色相別の回数データをもとに、色相別の回数を比較して表すことができる色相板１４６などを用いて、管理者端末機１４０にディスプレーされるようにしてもよく、各色相に対する心理状態の情報１４７をともにディスプレーして、管理者または観察者にとって該当構成員の最近の心理状態を間接的に把握できるようにしている。
【００５８】
図９は、本発明の一実施例による管理者端末機のアラーム機能の設定画面を示す図である。
【００５９】
図９を参照すると、本発明における管理者端末機１４０は、管理者端末機１４０に予め設定された一定期間の特定アバター表情の回数範囲または管理者端末機１４０に予め設定された点数範囲に含まれる前記自己表現指標統計を受信する場合、該当構成員が誰かアラームで表示するか出力するアラーム機能が具備される。
【００６０】
例えば、管理者端末機１４０のアラーム設定ボタン（図６Ａ、１４５ｆ参照）をタッチするとアラーム機能の設定画面がディスプレーされ、アバター表情１４８ａのうち主にゆがめるか悲しむ表情のアイコンを選択して回数範囲１４８ｂを設定してもよく、一定期間の平均点数の範囲１４８ｃ及び回数範囲１４８ｄを設定し、前記アバターの回数範囲や該当する点数範囲に含まれる自己表現指標統計が受信される場合、図１０の符号Ｆで示すように、該当構成員が誰なのかアラームが表示または出力されてもよい。同様に、アラーム機能の設定画面にディスプレーされた色相１４８ｅのうち、主に暗い気持ちを表す色相を選択して回数範囲１４８ｆを設定してもよく、一定期間の点数加算の範囲（図示せず）を設定してもよい。これによって、管理者はリアルタイムに容易に危険群に属する構成員を把握することができる。
【００６１】
本発明におけるインターフェースサーバー１１０は、アイテム管理モジュール１１４をさらに具備してもよい。アイテム管理モジュール１１４は、仮想の補償のアイテムを生成及び処理するモジュールである。インターフェースサーバー１１０により生成及び処理されたアイテム情報は、データベース１２０のアイテム生成及び統計ＤＢ１２４に保存され、管理者端末機１４０でネットワーク１５０を介してインターフェースサーバー１１０へアイテムを要請及び受信した後、ネットワーク１５０を介していずれの構成員端末機１３０にアイテムを送信することができる。また、アイテムが送信された構成員端末機１３０は、他の構成員端末機１３０にアイテムを再送信してもよい。
【００６２】
本発明におけるアイテム１４２は、仮想の補償として管理者、例えば、学校の特定の組に属した学生らを管理する担任の先生が、特定の学生に送信する仮想のプレゼントである。例えば、図１１に示したハートなどの仮想のプレゼントであってもよく、管理者は管理者端末機１４０の画面（図示せず）上に予め表示されたプレゼントボックスからアイテム１４２を選択し、学生の名札表からプレゼントを貰う学生の全員または一部を選択し、アイテム１４２の個数を選択して送信してもよい。
【００６３】
管理者端末機１４０からアイテムが送信された構成員端末機１３０は、図１１に示すように、現在の心理または気持ちを表すアバター表情１３５とともに現在持っているアイテム数１３６及び再送信可能のアイテム数１３７がディスプレーされてもよく、構成員端末機１３０に別のディスプレーされた覚醒名札表１３８からプレゼントアイテムを再送信する他の構成員を表示するアイコンを再送信できる範囲（図１１の場合５個）内で１個以上選択して再送信（図面から「送信」ボタンタッチ）してもよい。
【００６４】
この際、本発明におけるインターフェースサーバー１１０は、アイテム管理モジュール１１４により処理されたアイテム１４２に対する統計を算出し、算出されたアイテム処理統計をデータベースのアイテム生成及び指標ＤＢ１２４に保存してもよい。管理者端末機１４０は、ネットワーク１５０を介してインターフェースサーバー１１０にアイテム処理統計を要請及び受信して、アイテム処理統計を表示または出力してもよい。
【００６５】
これによって、管理者は図６に示すように、管理者端末機１４０上で構成員間のプレゼント交換フロー図１４４を確認することができる。例えば、図６は、該当グループ内の構成員全体に対して、構成員間のプレゼント交換フロー図１４４がディスプレーされたことを表す図である。また、図１２に示すように、管理者端末機１４０上に表示された各の構成員に対する自己表現指標をイメージするアイコンＩ２の選択に応じて選択された構成員間のアイテムの交換フロー図１４４を確認することがある。ここで、アイテムの送信、受信及び送受信の区別が付くように図示するべく、交換フロー線の色相を分けて表示してもよい。図１２において、赤色のフロー線はアイテムの送信、青色のフロー線はアイテムの受信及び緑色のフロー線はアイテムの送受信を示している。図１２においては、１個のアイコンＩ２を選択した場合を例示しているところ、２個以上のアイコンＩ２を選択して、選択された構成員間のアイテム交換フローを確認することもできる。
【００６６】
よって、学校の特定の組に属する学生らを管理する担任の先生の場合、各学生たちによるプレゼントを送信した結果に対する流れを一目で確認して、学生間の交友関係を容易に把握することができ、イジメられている学生はいないか、特定の学生に交友関係が絶たれたことはないかなどを通じて、危険群に属する学生を綿密に把握することになる。
【００６７】
ここで、本発明の好ましい実施例によると、アイテム管理モジュール１１４は、構成員それぞれに対する一定期間のアイテム送信及び受信回数の変動履歴を統計化し生成して、これをデータベース１２０のアイテム生成及び統計ＤＢ１２４に保存させることができる。よって、管理者端末機１４０は、ネットワーク１５０を介してインターフェースサーバー１１０に一定期間のアイテム処理統計を要請及び受信して、図７に示すように、管理者端末機１４０の画面上に、各構成員に対して表したアイコンＩ１を選択（タッチ）してアイテムの送信及び受信回数の変動履歴Ｇを表示または出力することができる。これによって、管理者は該当グループの構成員それぞれに対して、活発な交友関係を続けているか否かを把握することになる。
【００６８】
または、管理者端末機１４０は、ネットワーク１５０を介してインターフェースサーバー１１０に一定期間のアイテム処理統計を要請及び受信して、図１３に示すように、管理者端末機１４０の画面上において、各構成員に対して別表示されたアイコン（図示せず）を選択（タッチ）して、選択された構成員を中心にアイテムの送信または受信の回数が多い順に他の構成員を表示または出力するようにしてもよい。例えば、特定構成員に対して表示されたアイコン及び送信ボタン（図示せず）を選択すると、該当構成員がアイテムを多く送った順に、他の構成員が表わされるようにしてもよい。また、特定構成員に対して表示されたアイコン及び受信ボタン（図示せず）を選択すると、該当構成員にアイテムを多く送った順に、他の構成員が表わされるようにしてもよい。また、特定構成員に対してアイコン及び送受信ボタン（図示せず）を選択すると、該当構成員とアイテムを多く交換した順に、他の構成員が表わされるようにしてもよい。これによって、管理者は該当グループの構成員のそれぞれに対して、グループ構成員との全体的な交友関係を一目で把握することになる。
【００６９】
一方、図９の説明と同様に、アラーム機能を具備してもよい。例えば、管理者端末機１４０に予め設定された一定期間のアイテム受信回数範囲または持っているアイテムの数の範囲に含まれる前記アイテム処理統計を受信する場合に、該当の構成が誰なのかアラームを表示（図１０参照）または出力するようにして、活発な交友関係を続けてない危険群に属する構成員を、リアルタイムで容易に把握できるようにしてもよい。
【００７０】
本発明におけるインターフェースサーバー１１０は、メール管理モジュール１１５をさらに具備することができる。メール管理モジュール１１５は、構成員間または構成員と管理者との間に送受信されるメール１４９を処理するモジュールであって、インターフェースサーバー１１０により処理されたメールの送受信情報は、データベース１２０のメール統計ＤＢ１２５に保存される。管理者端末機１４０からは、ネットワーク１５０を介してインターフェースサーバー１１０へ構成員間のメール送受信統計を要請及び受信することができるようになる。
【００７１】
この際、インターフェースサーバー１１０は、メール管理モジュール１１５によって処理されたメール統計を算出し、算出されたメール統計をデータベースのメール統計ＤＢ１２５に保存させることができ、管理者端末機１４０はネットワーク１５０を介してインターフェースサーバー１１０へメール統計を要請及び受信してメール統計を表示または出力するようにしてもよい。
【００７２】
前記メール統計は、構成員間の一定期間のメール送受信回数を含み、管理者端末機は一定期間の構成員間のメール送受信回数を表示または出力することによって、前述の構成員間のプレゼント交換フロー図（図６参照）と同様にメール交換フローを確認することができるようになる。例えば、図６に示したように、該当グループ内の構成員全体に対して、構成員間のメール交換フローがディスプレーされるようにしてもよく、また、図１２に示すように、管理者端末機１４０上に表示された各構成員に対する自己表現指標をイメージするアイコンの選択に応じて、選択された構成員間のメール交換フローを確認することができる。また、メールの送信、受信及び送受信の区別が付けるように、図に示したように、交換フロー線の色相を区分して表示してもよい。
【００７３】
ここで、本発明の好ましい例によると、メール管理モジュール１１５は構成員それぞれに対する一定期間のメールの送信及び受信回数の変動履歴を統計化して生成し、これをデータベース１２０のメール統計ＤＢ１２５に保存させることができる。よって、管理者端末機１４０は、ネットワーク１５０を介してインターフェースサーバー１１０に一定期間のメール統計を要請及び受信して、図７に示したように、管理者端末機１４０の画面上において、各構成員に対して表示されたアイコンを選択（タッチ）して、メール送信及び受信の回数の変動履歴を表示または出力してもよい。また、管理者端末機１４０は、ネットワーク１５０を介してインターフェースサーバー１１０に一定期間のメール統計を要請及び受信して、図１３に示すように、管理者端末機１４０の画面上において、各構成員に対して表示されたアイコンを選択（タッチ）して、選択された構成員を中心にメールの送信または受信回数が多い順に、他の構成員を表示または出力するようにできる。
【００７４】
本発明において、前記メールは、音声メールを含めてもよい。この際、それぞれの構成員端末機は、音声メールの送信の時、特定音声モードを選択できる音声変調設定モード１３９を具備して、構成員の心理または気持ちに応じて音声変調された音声メールを送信することによって、管理者は構成員の変調された音声からの構成員の心理または気持ちをより明確に体感することができる。例えば、図１４に示すように、音声変調の設定モード１３９は、特定音声モードであって、楽しいモード、暗いモード、怒りモード、切ないモードなど多様な変調モード１３９ａを具備し、普通の音声で録音した後、モード選択に応じて自分の心理または気持ちを表現できる変調された音声で、メールを送信することができる。このような音声変調設定モード１３９を具備した音声メールは、公知の音声変調手段を採用して具現されてもよい。
【００７５】
図１５は、本発明の他の実施例による構成員端末機にディスプレーされる自己表現指標の入力画面を、模式的に示す図である。
【００７６】
図１５を参照すると、本発明の他の実施例によるグループ内の構成員管理支援システム２００は、構成員それぞれの心理または気持ちを表す自己表現指標として前述のアバター２３２の表情、色相２３２ａ、点数２３４などの心理または気持ちを客観的に把握できる第１指標とともに、第２指標として言語要素２７０を自己表現指標として活用し、第１指標とこれに対応される第２指標をマッチングさせてこれを統計処理できるシステムを開示する。よって、心理または気持ちに相応して定量化しにくい言語要素２７０を、それぞれの構成員に対して相対的な自己表現指標として活用し、個別構成員が使う言語を介しても容易に心理または気持ちを把握するか、相談の資料として活用することができる。この実施例において、データベース２２０、インターフェースサーバー２１０、構成員端末機２３０及び管理者端末機２４０と関連される具体的な説明が略された部分は、前述と同様とし、以下、前述の実施例とは相違なる実施例の構成を中心に、詳しく説明する。
【００７７】
この実施例において、前記自己表現指標は、構成員の心理または気持ちの程度に対応して、構成員端末機２３０に予め設定された２つ以上のアイコン形状のうちいずれかのアイコン形状が入力される状態によって変化されるアバター２３２の表情、構成員端末機２３０に予め設定された２つ以上の色相のうちいずれかの色相が入力される状態によって変化される色相２３２ａ、及び構成員端末機２３０に予め設定された点数のうち入力された点数２３４を含む指標のうち１種以上を含む第１指標と、構成員の心理または気持ちの程度に対応して、前記構成員端末機２３０に入力される言語要素２７０からなる第２指標を含む。例えば、構成員端末機２３０の画面上で、第１指標に関して前述されたように、アバター２３２の表情、色相２３２ａ及び点数２３４を入力した後、第２指標として言語要素２７０の入力を要求する画面がディスプレーされると、送信しようとする言語要素２７０を入力して行うことができる。
【００７８】
この際、前記言語要素２７０は、構成員が一般的な言語習慣で使える文字で表現可能な要素であって、例えば、単語、句、文章などを含めてもよい。また、前記第２指標の入力は、例えば、図１５に示したように、予め設定された言語要素２７０が構成員端末機２３０の画面に提示されると、選択（タッチ）によって入力されるようにしてもよく、言語要素の記入ウィンドーなどがディスプレーされると構成員が直接言語要素２７０を記入することによって入力されてもよい。言語要素２７０の入力時間は、例えば、数秒ぐらいにできるだけ短く設定して、言語心理学的観点から現在の心理または気持ちをそのまま表現できるようにすることが好ましい。
【００７９】
この実施例において、インターフェースサーバー２１０は、自己表現指標統計生成モジュール２１３を具備し、生成された自己表現指標統計をデータベース２２０に保存し、管理者端末機２４０は、ネットワーク２５０を介してインタフェースサーバーに一定期間の自己表現指標統計を要請及び受信して、前記自己表現指標統計を表示するか出力するようにしてもよい。
【００８０】
自己表現指標統計生成モジュール２１３は、例えば、図１６に示したように、一定期間のアバター表情の変動履歴Ａ、点数の変動履歴（図面の日付別の棒グラフ参照）及び色相の変動履歴Ａを含む第１指標の変動履歴と、第１指標の入力とともに対応して入力された第２指標として特定単語２７０の変動履歴を含むグラフなどの、多様な統計指標を生成することができる。
【００８１】
管理者端末機２４０は、ネットワーク２５０を介してインターフェースサーバー２１０に一定期間の第１指標及び第２指標を含む自己表現指標統計を要請及び受信して、管理者端末機２４０の画面上において、各構成員に対して表示されたアイコンを選択（タッチ）して、多様な自己表現指標統計を表示するか出力するようにしてもよい。
【００８２】
ここで、管理者端末機２４０は、図１７に示したように、管理者端末機２４０に予め設定された前記一定期間に入力された第２指標に対して、第２指標の入力に対応されて入力された第１指標の統計を表示するかまたは出力することができる。つまり、特定単語２７０をもとに、対応して入力された特定アバター２３２の表情の回数、特定色相２３２ａの回数または点数２３４の累積値ないし平均を表す統計を表示するかまたは出力するようにすることによって、例えば、「お父さん」、「先生」のような心理または気持ちに相応して定量化しにくい単語において、個別構成員によっては心理または気持ちが相対的に良くない状態で使用されていることが分かりやすい。これによって、管理者は心理または気持ちに相応して定量化しにくい言語要素２７０を自己表現指標として活用し、個別構成員が使用する言語を使っても、該当言語要素２７０をどのような心理または気持ちの状態から使用しているかなどを、容易に把握できるようにする。
【００８３】
一方、本発明によるグループ内の構成員管理支援システム１００は、ネットワーク１５０を介して管理者端末機１４０から自己表現指標統計またはアイテム処理統計が送信される観察者端末機１６０をさらに具備してもよい。これを介して構成員及び管理者と緊密な繋がりを持っている父母などの観察者は、該当関心構成員に対する心理または気持ちの状態による自己表現指標統計またはアイテム処理統計を管理者と共有してもよい。このような観察者端末機１６０は、ネットワーク１５０を介して管理者端末機１４０に特定構成員に対する自己表現指標統計及びアイテム処理統計を要請及び受信して、観察者端末機１６０に表示するかまたは出力するようにしてもよく、もちろん、管理者端末機１４０で、特定の観察者端末機１６０に特定構成員に対する自己表現指標統計及びアイテム処理統計を送信してもよい。
【００８４】
［グループ内の構成員管理支援方法］
図１８は、本発明の一実施例によるグループ内の構成員の管理支援方法をステップ別に順に応じて示す図である。図１９は、図１８による方法を行う時に各ユーザの端末機画面に表わす表示内容を中心に、本発明の全体フローを説明する図である。
【００８５】
まず、図１８及び前記図１ないし図１１を参照すると、本発明によるグループ内の構成員の管理支援方法は、基本的に（ａ）構成員端末機１３０が構成員の心理または気持ちの程度に対応して構成員端末機１３０に予め設定された２つ以上のアイコン形状１３１のうちいずれかのアイコン形状が入力される状態に応じて変化されるアバター１３２の表情、及び構成員端末機１３０に予め設定された点数１３４のうち入力された点数を含む自己表現指標が入力されて、インターフェースサーバー１１０に送信するステップＳ１１０と、（ｂ）前記インターフェースサーバー１１０が前記自己表現指標をデータベース１２０に保存し、一定期間のアバター表情と点数の変動履歴（図７参照）を含む自己表現指標に対する統計を生成してデータベースに保存し、仮想の補償アイテム１４２を生成してデータベース１２０に保存するステップＳ１２０と、（ｃ）管理者端末機１４０がインターフェースサーバー１１０に一定期間の自己表現指標、自己表現指標統計及びアイテム１４２を要請及び受信するステップＳ１３０と、（ｄ）管理者端末機１４０がアイテム１４２をいずれかの構成員端末機１３０に送信するステップＳ１４０と、（ｅ）構成員端末機１３０が送信されたアイテム１４２を他の構成員端末機１３０に送信するステップＳ１５０と、を含む。
【００８６】
前記（ａ）ステップ（Ｓ１１０）は、インターフェースサーバー１１０がウェブブラウザやアプリケーションを利用する構成員からネットワーク１５０を介して自己表現指標が入力されるステップであって、以後インターフェースサーバー１１０は前記（ｂ）ステップ（Ｓ１２０）において、入力された自己表現指標とともに仮想の補償アイテムを生成して、データベース１２０に保存することになる。
【００８７】
このように構築されたデータベース１２０は、前記（ｃ）ステップ（Ｓ１３０）において、管理者端末機１４０から特定構成員に対する自己表現指標、自己表現指標統計及び特定アイテム１４２の要請を受けて、これらを管理者端末機１４０に送信することによって、管理者端末機１４０は画像表示手段を介して自己表現指標、自己表現指標統計またはアイテムリストを表示するか、印刷手段を介して出力することができる。
【００８８】
この際、管理者端末機１４０に送信されて表示されたアイテム１４２は、前記（ｄ）ステップ（Ｓ１４０）と同様に、管理者端末機１４０からいずれかの構成員端末機１３０に送信されてもよく、前記（ｅ）ステップ（Ｓ１５０）と同様に、構成員端末機１３０から送信されたアイテム１４２を他の構成員端末機１３０に送信してもよい。
【００８９】
本発明における前記（ｂ）ステップ（Ｓ１２０）において、インターフェースサーバー１１０が自己表現指標に対する統計を生成してデータベースに保存する。この際、前記（ｃ）のステップ（Ｓ１３０）において、管理者端末機１４０がインターフェースサーバー１１０に自己表現指標統計を要請及び受信するステップＳ１３１を行って、前述したように、管理者にとって該当グループの構成員それぞれに対して近来の心理または気持ちの状態とともに変動の程度を一目で把握することができるようになる。ここで、管理者端末機１４０は、管理者端末機１４０に予め設定された一定期間の特定アバター表情の回数範囲、または管理者端末機に予め設定された点数範囲に含まれる自己表現指標統計を受信する場合、該当の構成員が誰なのかをアラームで表示するか出力することによって、リアルタイムで容易に危険群に属する構成員を把握できるようにする。
【００９０】
また、本発明においては、前記（ｂ）ステップ（Ｓ１２０）にて、インターフェースサーバー１１０がアイテム処理に対する統計を生成してデータベース１２０に保存するステップＳ１２２がさらに行われる。この際、前記（ｃ）ステップ（Ｓ１３０）にて、管理者端末機１４０がインターフェースサーバー１１０にアイテム処理統計を要請及び受信するステップＳ１３２がさらに行われ、前述したように、管理者にとって、管理者端末機１４０上で構成員間のプレセント交換フロー図１４４を確認できるようになる。
【００９１】
ここで、アイテム処理統計は、構成員それぞれに対する一定期間のアイテム送信及び受信回数の変動履歴（図７参照）を含めて、管理者は該当グループの構成員それぞれに対して活発な交友関係を続けているか否かを把握することができる。管理者端末機１４０は、一定期間の構成員間のアイテムの交換フロー図１４４を表示するか出力するようにして、管理者端末機１４０に予め設定された一定期間のアイテム受信回数範囲または持ってるアイテムの数範囲に含まれるアイテム処理統計を受信する場合に、該当構成員が誰なのかをアラームで表示するか出力することによって、活発な交友関係を続けていない危険群に属する構成員をリアルタイムに容易に把握することができる。
【００９２】
一方、本発明においては、前記（ｅ）ステップ（Ｓ１５０）の以後、（ｆ）観察者端末機１６０がさらに具備され、管理者端末機１４０が自己表現指標統計またはアイテム処理統計を観察者端末機１６０に送信するステップＳ１６０をさらに含めてもよい。つまり、観察者端末機１６０は、ネットワーク１５０を介して管理者端末機１４０に特定構成員に対する自己表現指標統計及びアイテム処理統計を要請及び受信して、観察者端末機１６０に表示または出力するようにしてもよく、管理者端末機１４０で特定の観察者端末機１６０に特定構成員に対する自己表現指標統計及びアイテム処理統計を送信してもよい。これによって、前述したように、構成員及び管理者と緊密な繋がりを持っている観察者は、関心のある構成員に対する心理または気持ちの状態による自己表現指標統計またはアイテム処理統計を、管理者と共有することができる。
【００９３】
続いて、図１９及び前記図１ないし図１１を参照して、各ユーザの端末機の画面に示す表示内容を中心に本発明の全体フローを説明する。
【００９４】
まず、構成員が構成員端末機１３０を介してログインＳ１１を行った後、端末機１３０の画面上に予め表示された自己表現指標に該当する項目をチェック及び入力（保存）する（Ｓ１２）。そうすると、その結果はインターフェースサーバー１１０を媒体にデータベース１２０に保存された後、管理者の要請により管理者端末機１４０で確認され得る（Ｓ２２）。
【００９５】
管理者は、管理者端末機１４０を介してログインを行った後（Ｓ２１）、端末機１４０の画面上に予め設定された各構成員の自己表現指標のチェック版（図５または図６参照）から自己表現指標の入力結果を確認することができ（Ｓ２２）、インターフェースサーバー１１０を介して、別に要請して受信した補償アイテム（図１１参照）を構成員全部または一部に送信することができる（Ｓ２３）。アイテムが送信された構成員は、他の構成員端末機１３０にアイテムを送信し、構成員間のアイテム交換を行うことができる（Ｓ１３）。
【００９６】
以後、一定時間（普通、１〜２回／日）のアイテム送信Ｓ２３、交換Ｓ１３を行った後、各構成員は前述した方法を介して再び自己表現指標をチェック及び入力することができ（Ｓ１４）、その結果は管理者端末機１４０に送信される。管理者は一定期間の自己表現指標の入力データおよびインターフェースサーバー１１０を介して、別に要請して受信した自己表現指標統計及びアイテム処理の統計データを分析することによって（Ｓ２４）、各構成員に対する最近の心理または気持ちの変化による内的状態を確認および点検し、得意事項などを確認することができる。
【００９７】
管理者端末機１４０から分析された各構成員に対する点検結果は、常に特定の観察者端末機１６０に送信されてもよく、観察者は別のログイン（Ｓ３１）を介して自分の関心構成員に対する自己表現指標統計、アイテム処理統計とともに管理者のコメントを介して、該当構成員のグループ内における交友関係状況を継続に把握することになる（Ｓ３２）。
【００９８】
一方、管理者端末機１４０に受信された結果及び前述したアラーム機能をもとに、管理者が特定構成員に対する危険群に属すると判断する際（Ｓ２５）、該当する観察者端末機１６０にその判断結果を送信するとともに、別に設置された専門相談師の端末機に送信して（Ｓ２６）、危険群に属する構成員に対する相談及び心理治癒がすばやくまたは円滑に進められるようにすることができる。
【００９９】
ここで、本発明の好ましい例によると、管理者端末機１４０から危険群に属する構成員の情報が送信された専門相談師は、該当構成員に対する実質的相談を行って、その結果を専門相談師の端末機に入力し、管理者端末機１４０に送信することができる。これによって、管理者は本発明のシステム上で危険群に属する構成員の相談結果まで、フィードバックを受けることができる。
【０１００】
上述された本発明の一実施例によるグループ内の構成員の管理支援方法は、多様なコンピュータ構成用を介して行うことができるプログラム命令語の形で具現され、コンピュータ読み取り可能の記録媒体に記録されてもよい。前記コンピュータの読み取り可能の記録媒体は、プログラム命令語、データファイル、データ構造などを独断にまたは組み合わせて含めてもよい。前記コンピュータ読み取り可能の記録媒体に記録されるプログラム命令語は、本発明のために特別に設計されて構成されたことであるが、コンピュータソフトウェア分野の当業者にとって公知であり、使用可能であり得る。コンピュータの読み取り記録媒体の例としては、ハードディスク、フロッピーディスク、及び磁気テープのような磁気媒体、ＣＤ−ＲＯＭ、ＤＶＤのような光記録媒体、フロプディカルディスク（Ｆｌｏｐｔｉｃａｌ  ｄｉｓｋ）のような磁気‐光媒体（Ｍａｇｎｅｔｏ−ｏｐｔｉｃａｌ  ｍｅｄｉａ）、及びＲＯＭ、ＲＡＭ、フッラシュメモリなどのようなプログラム命令語を保存して行うように特別に構成されたハードウェア装置が含まれる。プログラム命令語の例として、コンパイラによって構成されることと同様の機械語コードのみならず、インタプリタなどを用いてコンピュータによって実行され得る高級言語コードも含まれる。前記ハードウェア装置は、本発明による処理を行うために一つ以上のソフトウェアモジュールとして作動するように構成されてもよく、その逆にしてもよい。
【０１０１】
以上で本発明の好ましい実施例を、図面を参考して詳しく説明した。本発明の説明は、例示のためであって、本発明が属する技術分野において通常の知識を持つ者は本発明の技術的思想や必須的な特徴を変形しなくて異なる具体的な形態に容易に変形可能であることが理解できるだろう。
【０１０２】
よって、本発明の範囲は、前記詳しい説明よりは、特許請求の範囲によって示しており、特許請求範囲の意味、範囲及びその同様の概念から導出されるすべての変形または変形された形態が本発明の範囲に含まれることに解析されなければならない。
【符号の説明】
【０１０３】
１００    構成員管理支援システム
１１０    インターフェースサーバー
１１１    自己表現指標の処理モジュール
１１２    ユーザ登録及び認証モジュール
１１３    自己表現指標統計生成モジュール
１１４    アイテム管理モジュール
１１５    メール管理モジュール
１２０    テータベース
１２１    自己表現指標ＤＢ
１２２    ユーザ情報ＤＢ
１２３    自己表現指標統計ＤＢ
１２４    アイテム生成及び統計ＤＢ
１２５    メール統計ＤＢ
１３０    構成員端末機
１３２    アバター
１３３    色相環
１３４    点数ゲージ
１４０    管理者端末機
１４１    自己表現指標の掲示板
１４２    アイテム
１４４    プレゼント交換フロー図
１４５    フィルター部
１４６    色相板
１４７    心理状態の情報
１５０    ネットワーク
１６０    観察者端末機
２７０    言語要素
【図１】
2016507106.tif 000003
【図５】
2016507106.tif 000004
【図８Ａ】
2016507106.tif 000005
【図１８】
2016507106.tif 000006
【図１９】
2016507106.tif 000007
【図２Ａ】
2016507106.tif 000008
【図２Ｂ】
2016507106.tif 000009
【図３Ａ】
2016507106.tif 000010
【図３Ｂ】
2016507106.tif 000011
【図４】
2016507106.tif 000012
【図６Ａ】
2016507106.tif 000013
【図６Ｂ】
2016507106.tif 000014
【図６Ｃ】
2016507106.tif 000015
【図６Ｄ】
2016507106.tif 000016
【図６Ｅ】
2016507106.tif 000017
【図７】
2016507106.tif 000018
【図８Ｂ】
2016507106.tif 000019
【図９】
2016507106.tif 000020
【図１０】
2016507106.tif 000021
【図１１】
2016507106.tif 000022
【図１２】
2016507106.tif 000023
【図１３】
2016507106.tif 000024
【図１４】
2016507106.tif 000025
【図１５】
2016507106.tif 000026
【図１６】
2016507106.tif 000027
【図１７】
2016507106.tif 000028
【国際調査報告】
2016507106.tif 000029
2016507106.tif 000030
2016507106.tif 000031
2016507106.tif 000032